(57)【要約】【課題】人体に埋植したカテーテルを通じて輸液・輸血する場合においてカテーテル端部に血液が残存すると、凝固した血液が次の輸液・輸血の際に人体中に混入する恐れがある。【解決手段】本発明の混注ポートは１、セプタム１０と、セプタムを下方から上方に向けて付勢するセプタム付勢手段２０と、セプタムが下方に下がったときに、開放される液路３０を備えることを特徴とする。このような構成により、ルアを挿脱したときの、混注ポートの流路部における容積の変動が実質ないことから、実質的に引圧ともならず、カテーテルの人体への挿入側端部から血液が逆流（バックフラッシュ）が実質生じることがない。【選択図】  図１
2005013658.tif 000002
【特許請求の範囲】
【請求項１】
セプタムと、セプタムを下方から上方に向けて付勢するセプタム付勢手段と、セプタムが下方に下がったときに、開放される液路を備えることを特徴とする混注ポート。
【請求項２】
前記セプタムは、エラストマー材料からなる柱状体であり、その上部において、ルアを当接するリブが形成されていることを特徴とする請求項１に記載の混注ポート。
【請求項３】
前記セプタムの上部外周縁部に、リブが立設され、リブには、下方に下がったときに前記流路と連通する透孔が形成されている請求項１又は２に記載の混注ポート。
【発明の詳細な説明】
【０００１】
【発明の属する技術分野】
本発明は、医薬用回路（血管内留置カテーテル）の端部に取り付けられる混注ポートに関し、特に、ルアを混注ポートから離脱したときに生じるバックフラッシュを防止する構造に関する。
【０００２】
【従来の技術】
人体に接続したカテーテルを通じて輸液・輸血・採血を行う場合において、カテーテルの端部に対してルアを接続して、輸液・輸血・採血を実施する。カテーテルの端部には、微生物汚染防止の観点から昨今では、閉鎖式の混注ポートが用いられる。混注ポートの構造としては、特開平１１−１９７２５４号に代表されるスリット付きゴム体を液密にハウジングに固定したものが代表的なものとして挙げることができる。
この混注ポートは、ルア部でゴムを押圧すると、ゴム体が内腔に向けて変形することで、密閉していたスリットが開封されてスリット内にルア部を受け入れる構造となっている。そして、ルア部を通じて輸液・輸血・採血がなされることになる。
間欠的に輸液する場合、輸液終了後に生理食塩水・ヘパリン溶液などでカテーテル内を充填することによるカテーテル内の閉塞防止処置を施した後、ルア部を離脱するのが一般的である。
【特許文献１】特開平１１−１９７２５４号
【発明が解決しようとする課題】
上記ルア部を離脱する際に、ゴム体の変形部分が元の状態に復帰することに起因して、それまでゴム体の受け入れ分だけ縮小していた混注ポートの内腔の容積が一揆に増加するので内腔が引圧となり、カテーテルの人体への挿入側端部（先端）から血液が逆流し（バックフラッシュ）、カテーテル中に残存するという問題が生じる場合があることが指摘されている。
【０００３】
処置後にカテーテルを人体から離脱させるのであれば問題とならないが、人体に留置したカテーテルを通じて輸液・輸血・採血する場合においてカテーテル端部（先端）に血液が残存すると、血液が凝固し閉塞する恐れがある。更に、逆流した血液に微生物が増殖し、感染症の原因となる場合がある。
【０００４】
本発明は、上記問題点に鑑みてなされた発明であって、上記バックフラッシュを防止することが可能な混注ポートを提供することを目的としてなされた発明である。
【０００５】
【課題を解決するための手段】
上記目的を達するために、本発明の混注ポートは、セプタムと、セプタムを下方から上方に向けて付勢するセプタム付勢手段と、セプタムが下方に下がったときに、開放される液路を備えることを特徴とする。
【０００６】
このような構成により、ルアを離脱したときの、混注ポートの流路部における容積の変動が実質ないことから、実質的に引圧ともならず、カテーテルの人体への挿入側端部から血液が逆流（バックフラッシュ）が実質生じることがない。
【０００７】
【発明の実施の形態】
以下に、本発明に係る混注ポートの実施の形態について図面を参照しながら具体的に説明する。
【０００８】
（構成）
図１は、実施の形態についての混注ポート１の構成を示す断面図である。
【０００９】
混注ポート１は、主として、エラストマー特性を有するゴム材料からなるセプタム１０と、セプタムを下方から上方に向けて付勢するセプタム付勢手段２０と、セプタムが下方に下がったときに、開放される液路３０とからなる。
セプタム１０は、セプタム付勢手段２０により上方に付勢されているときには、ハウジング４０内の第１の内腔部４１に存在し、下方に移動したときは、第１の内腔部４１の下方に位置する第２の内腔部４２と前記第１の内腔部４１とに跨って位置する。ここで、第２の内腔部４２と前記第１の内腔部４１とに跨って位置するとするのは、セプタムが付勢されてもとの位置に復帰するときに、位置ずれを起こさず確実に復帰できるように内腔内壁面にセプタムを案内させるためである。つまり、下記の構成において、第２の内腔部と第１の内腔部とに跨っている場合には、セプタムのリブ１２（下記）上端が第１の内腔部にあり、透孔１３は、流路３０の開口端に臨み、その他の主たるセプタムの肉部は、第２の内腔部にある。元の位置に復帰するときには、その動作初期において、リブが第１の内腔部内壁面に沿って、その他の部分が第２の内腔部の内壁面に沿って案内される。
セプタム付勢手段２０は、セプタム１０を載置する台座と、台座を上方に付勢する付勢具（バネ体、ゴム体など）とから構成されている（これらの部分構成は不図示）。セプタム付勢手段２０は、前記第２の内腔部４２内に設けられ、セプタム１０が下方に押圧された際にその反作用として台座を介して上方にセプタム１０を付勢する。
【００１０】
セプタム１０の詳細構成は、概観円柱形状であって、上部外周縁部１１には、環状のリブ１２が形成されており、リブ１２には透孔１３が点在する。この透孔１３は、セプタム１０がルアにて押圧されてない通常ある位置（これを第１の位置という）から、ルアにて押圧されて、下方に移動したときにある位置（これを第２の位置という）において、第２の内腔部４２の横方向にこれを囲むように上下方向に延設された流路３０と連通する。この連通によって、ルア内腔と流路３０とはセプタムの透孔１３を介して互いに連通することになる。ここで、付勢手段の伸縮の度合いは、このような透孔と流路との連通状態を確実に実現するため、ルアにてセプタムを押圧する場合の押圧力の変動にかかわらず一定の位置（透孔と流路とが連通する位置）までしか縮小しないように規定することが望ましい。なお、流路３０の下端は、延長チューブ又はカテーテルの一端と連通している。
【００１１】
なお、セプタム１０の上面には、ルアを当接し、液体を上面に沿って流すことが可能なようにルア先端部とセプタム上面との間に流路間隙を形成するように複数のリブ１４を立設しても良い。
【００１２】
（動作）
ルアをセプタム１０に押し付けセプタムを下方に押圧すると、セプタム１０は下方に移動する。この状態のままで、ルア内腔と流路３０とはセプタムの透孔１３を介して互いに連通するので、ルアから薬液を投入あるいは吸引をする。この後、ルアを離脱すると、セプタム付勢手段の付勢力により、セプタム１０は第２の位置から第１の位置に瞬時に復帰する。このようにルアの離脱時において、バックフラッシュの要因となる吸引圧が流路３０において生じないので、バックフラッシュが実質的に生じない。
【００１３】
【発明の効果】
以上説明してきたように、本発明の混注ポートは、セプタムと、セプタムを下方から上方に向けて付勢するセプタム付勢手段と、セプタムが下方に下がったときに、開放される液路を備えることを特徴とする。
このような構成により、ルアを離脱したときの、混注ポートの流路部における容積の変動が実質ないことから、実質的に引圧ともならず、カテーテルの人体への挿入側端部から血液が逆流（バックフラッシュ）が実質生じることがない。
【図面の簡単な説明】
【図１】混注ポート１の構成を示す断面図。
【符号の説明】
１  混注ポート
１０  セプタム
２０  セプタム付勢手段
３０  液路
【図１】
2005013658.tif 000003